(57)【特許請求の範囲】
【請求項１】
第１のフレキシブルプリント配線板の電極配列と、第２のフレキシブルプリント配線板の電極配列とが導電接続された接続構造であって、
前記第１および第２のフレキシブルプリント配線板の電極は電極接続エリアに配列されており、
前記第１および第２のフレキシブルプリント配線板の電極配列に挟まれて、該電極配列を接続する異方導電膜を備え、
前記第１のフレキシブルプリント配線板本体／重なっている前記両方の電極配列／前記第２のフレキシブルプリント配線板本体、のように位置し、
第１のフレキシブルプリント配線板の前記電極配列より本体側の両サイド、および、前記第２のフレキシブルプリント配線板の該電極配列より本体側の両サイド、に前記電極配列の位置合わせのための位置合わせ部が除去された跡があることを特徴とする、フレキシブルプリント配線板の接続構造。
【請求項２】
異方導電膜を用いて他のフレキシブルプリント配線板と導電接続するためのフレキシブルプリント配線板であって、
前記導電接続される電極の配列が露出している電極接続エリアと、
前記電極接続エリアから外れた位置に設けられた位置合わせ部と、
前記位置合わせ部を除去しやすくするための除去容易化打ち抜き部と、を備え、
前記位置合わせ部は、前記電極接続エリアの両サイドに位置し、
前記除去容易化打ち抜き部は、前記電極接続エリアと前記位置合わせ部との間を遮断するように位置しており、前記位置合わせ部を除去したとき、その跡が前記電極接続エリアより本体側の両サイドに残るようにされていることを特徴とする、フレキシブルプリント配線板。
【請求項３】
請求項１に記載のフレキシブルプリント配線板の接続構造、または請求項２に記載のフレキシブルプリント配線板、を用いたことを特徴とする、電子機器。
【請求項４】
露出する電極配列を有し、その電極配列が同じで、かつ、位置合わせ部を有する２つのフレキシブルプリント配線板を準備する工程と、
前記２つのフレキシブルプリント配線板の電極配列を対向させ、位置合わせ部を用いて、該２つの電極配列を平面的に見て合致させ、かつ前記２つの電極配列で異方導電膜を挟む工程と、
前記２つのフレキシブルプリント配線板と、前記異方導電膜とを圧着する工程と、
前記２つのフレキシブルプリント配線板の両方の位置合わせ部を除去する工程とを備え、
前記２つのフレキシブルプリント配線板を準備する工程では、前記位置合わせ部を、前記電極接続エリアの両サイドに配置し、前記位置合わせ部を除去しやすくするための除去容易化打ち抜き部を、前記電極接続エリアと前記位置合わせ部との間を遮断するように設け、前記位置合わせ部を除去したときその痕跡が前記電極接続エリアより本体側の両サイドに残るようにしたことを特徴とする、プリント配線板の接続構造の製造方法。
【発明の詳細な説明】
【技術分野】
【０００１】
本発明は、フレキシブルプリント配線板（ＦＰＣ:Flexible  Printed  Circuit）、その接続構造、その製造方法、および電子機器に関し、より具体的には、異方導電膜（ＡＣＦ:Anisotropic  Conductive  Film）を用いて電極同士を能率よく導電接続するのに好適な、フレキシブルプリント配線板、その接続構造、その製造方法、およびこれらを用いた電子機器に関するものである。
【背景技術】
【０００２】
携帯端末等の電子機器には、複数のフレキシブルプリント配線板が用いられ、当該電子機器内で、フレキシブルプリント配線板の電極同士が、導電接続される。製造方法の能率向上の要求に応えるために、２つのフレキシブルプリント配線板の電極同士を、異方導電膜（ＡＣＦ）で導電接続する方法が提案されている（特許文献１）。ＡＣＦによる導電接続では、上記電極が露出された２つの電極領域によってＡＣＦを挟んで加熱加圧することで、個々の電極同士を個別に導電接続する。これによってフレキシブルプリント配線板の電極同士を効率よく接続することができる。
【先行技術文献】
【特許文献】
【０００３】
【特許文献１】特開２００４−１１９０６３号公報
【発明の概要】
【発明が解決しようとする課題】
【０００４】
上記ＡＣＦを用いたフレキシブルプリント配線板の電極間の接続では、小さい間隔で多数の電極が配置されているので、電極同士の位置合わせの精度が重要である。位置合わせの精度を向上させるために、フレキシブルプリント配線板の電極接続エリアの周辺に、ガイド穴、アラインメントマークなどの位置合わせ精度向上の位置合わせ部を設けることが必須となる。この結果、フレキシブルプリント配線板の電極接続エリアまたは端子部は、外形が両サイドに広がり、小型化の傾向に逆行することになる。フレキシブルプリント配線板を配設するために割り当てられるスペースは、年々、小さくなっており、端子部の両サイドに設けられたガイド穴、アラインメントマーク等が小型化の重大な障害になることが多かった。
本発明は、アラインメントマークやガイド穴のある２つのフレキシブルプリント配線板によって、ＡＣＦを挟んで精度よく位置合わせをして電極間を能率よく導電接続しながら、小型化を推進することができる、フレキシブルプリント配線板、その接続構造、その製造方法、および電子機器を提供することを目的とする。
【課題を解決するための手段】
【０００５】
本発明のフレキシブルプリント配線板の接続構造は、第１のフレキシブルプリント配線板の電極配列と、第２のフレキシブルプリント配線板の電極配列とが導電接続されている。この接続構造は、第１および第２のフレキシブルプリント配線板の電極は電極接続エリアに配列されており、第１および第２のフレキシブルプリント配線板の電極配列に挟まれて、該電極配列を接続するＡＣＦを備え、第１のフレキシブルプリント配線板本体／重なっている両方の電極配列／第２のフレキシブルプリント配線板本体、のように位置し、第１のフレキシブルプリント配線板の電極配列より本体側の両サイド、および、第２のフレキシブルプリント配線板の該電極配列より本体側の両サイド、に電極配列の位置合わせのための位置合わせ部が除去された跡があることを特徴とする。
【０００６】
上記の構成によれば、ＡＣＦおよび位置合わせ部を用いて能率よくかつ精度よく２つの電極配列どうしをＡＣＦを挟んで圧着した後に、少なくとも一方のフレキシブルプリント配線板の位置合わせ部が除去されているので、接続構造の小型化をはかることができる。ここで、位置合わせ部は、ガイド穴、および／または、アラインメントマークである。位置合わせ部を除去した痕跡は、フレキシブルプリント配線板の断面に現れており、肉眼でも、また各種の局所表面拡大手段（テレビカメラ等の撮像装置、走査型電顕（ＳＥＭ）など）を用いて、容易に特定することができる。
【０００７】
参考例としてあげるが、第１のフレキシブルプリント配線板の位置合わせ部が除去されて第２のフレキシブルプリント配線板の位置合わせ部が除去されていない場合、第２のフレキシブルプリント配線板において、位置合わせ部は電極配列よりも本体側に位置させるのがよい。
これによって、第１のフレキシブルプリント配線板の位置合わせ部を、電極配列よりも先端側、すなわち配線回路などの導体がない領域に位置させることができる。この領域は、除去しても第１のフレキシブルプリント配線板の働きに影響しない。このため、第１および第２のフレキシブルプリント配線板の位置合わせを確実に行って、ＡＣＦを挟んで圧着した後、第１のフレキシブルプリント配線板の位置合わせ部のみを問題なく除去することができる。
【０００８】
第１および第２のフレキシブルプリント配線板の位置合わせ部が、両方とも、除去されるようにする。ここで、除去痕は、第１および第２のフレキシブルプリント配線板の電極接続エリアのサイドの断面に生じるが、この電極接続エリアのサイドには配線回路がないことを前提とする。
また、以後の説明のために、第１のフレキシブルプリント配線板本体／[重なっている、第１の電極配列と第２の電極配列]／第２のフレキシブルプリント配線板、に沿ったラインを本体ラインと呼ぶこととする。上記の本体ラインに沿って双方の位置合わせ部を配置すると、一方のフレキシブルプリント配線板の先端側に位置した位置合わせ部しか除去することができない。相手のフレキシブルプリント配線板の位置合わせ部は、電極配列よりも本体側に近くしなければ、双方の電極配列どうしを合わせて、かつ、双方の位置合わせ部どうしを合わせることはできないからである。
このため、両方の位置合わせ部を除去するためには、電極配列（電極接続エリア）のサイドに位置させる必要がある。電極配列のサイドは、上記の本体ラインから外れている。この電極配列のサイドであれば、電極配列どうしを合わせて、かつ位置合わせ部どうしを合わせた上で、圧着後に、サイドの位置合わせ部を除去しても、本体ラインから外れていて配線回路等を含まないため、両方のフレキシブルプリント配線板の働きに影響を及ぼすことはない。この結果、ＡＣＦを用いて精度よく、かつ能率よく接続構造を形成しながら、狭隘なスペースにも配置することができる接続構造を得ることができる。
【０００９】
本発明のフレキシブルプリント配線板は、異方導電膜を用いて他のフレキシブルプリント配線板と導電接続するために用いられる。このフレキシブルプリント配線板は、導電接続される電極の配列が露出している電極接続エリアと、電極接続エリアから外れた位置に設けられた位置合わせ部と、該位置合わせ部を除去しやすくするための除去容易化打ち抜き部、とを備え、除去容易化打ち抜き部は、電極接続エリアと位置合わせ部との間を遮断するように位置しており、位置合わせ部を除去したときその跡が電極接続エリアより本体側の両サイドに残るようにされていることを特徴とする。
上記の構成によれば、除去容易化打ち抜き部の端からフレキシブルプリント配線板の外へと、プレス金型を用いたせん断加工によるカット、ナイフカット等を入れることで容易に、位置合わせ部を除去することができる。
【００１０】
参考例としてあげるが、位置合わせ部は、電極接続エリアよりも先端側に位置し、除去容易化打ち抜き部は、電極接続エリアと位置合わせ部との間を遮断するように延在するようにできる。これによれば、除去容易化打ち抜き部を、折れ線状に延びた長穴などで形成することで、除去されることになる位置合わせ部と、除去容易化打ち抜き部を、分かりやすい簡単な構造とすることができる。
【００１１】
位置合わせ部が電極接続エリアのサイドに位置し、除去容易化打ち抜き部は、少なくとも電極接続エリアのサイドにおいて、電極接続エリアと位置合わせ部との間を遮断する構成をとる。これによって、２つのフレキシブルプリント配線板の両方とも、位置合わせ部を除去することが容易になる。
【００１２】
参考例としてあげる別のフレキシブルプリント配線板は、異方導電膜を用いて他のフレキシブルプリント配線板と導電接続するために用いられる、上記の相手となるフレキシブルプリント配線板である。このフレキシブルプリント配線板は、導電接続される電極の配列が露出している電極接続エリアと、先端からみて電極接続エリアよりも本体側に位置する位置合わせ部とを備えることを特徴とする。
【００１３】
本発明の電子機器は、上記のいずれかのフレキシブルプリント配線板の接続構造、またはいずれかのフレキシブルプリント配線板、を用いたことを特徴とする。これによって、この電子機器は、製造コストが低く、小型化の傾向に適応したフレキシブルプリント配線板の接続構造等を用いることができる。
【００１４】
本発明のプリント配線板の接続構造の製造方法は、露出する電極配列を有し、その電極配列が同じで、かつ、位置合わせ部を有する２つのフレキシブルプリント配線板を準備する工程と、２つのフレキシブルプリント配線板の電極配列を対向させ、位置合わせ部を用いて、該２つの電極配列を平面的に見て合致させ、かつ２つの電極配列で異方導電膜を挟む工程と、２つのフレキシブルプリント配線板と、前記異方導電膜とを圧着する工程と、２つのフレキシブルプリント配線板の両方の位置合わせ部を除去する工程とを備え、２つのフレキシブルプリント配線板を準備する工程では、位置合わせ部を、電極接続エリアの両サイドに配置し、位置合わせ部を除去しやすくするための除去容易化打ち抜き部を、電極接続エリアと位置合わせ部との間を遮断するように設け、位置合わせ部を除去したとき、その痕跡が電極接続エリアより本体側の両サイドに跡が残るようにしたことを特徴とする。
上記の方法によって、ＡＣＦによって能率よく２つのフレキシブルプリント配線板を接続しながら、接続構造の小型化をはかることができる。
【発明の効果】
【００１５】
本発明によれば、アラインメントマークやガイド穴のある２つのフレキシブルプリント配線板によって、ＡＣＦを挟んで精度よく位置合わせをして電極間を能率よく導電接続しながら、接続構造等の小型化を推進することができる。
【図面の簡単な説明】
【００１６】
【図１】（ａ）は参考例である実施の形態１におけるフレキシブルプリント配線板の接続構造を示す平面図であり、（ｂ）は切除痕の位置を示す図である。
【図２】図１の接続構造を構成する、（ａ）ガイド穴を除去することになるフレキシブルプリント配線板、および（ｂ）ガイド穴等を除去しないフレキシブルプリント配線板を、示す。
【図３】図２の２つのフレキシブルプリント配線板の間にＡＣＦを挟んで圧着した状態を示す図である。
【図４】本発明の実施の形態２におけるフレキシブルプリント配線板の接続構造を示す平面図である。
【図５】図４の接続構造を構成する、両方ともガイド穴を除去することになる、（ａ）一方のフレキシブルプリント配線板、および（ｂ）他方のフレキシブルプリント配線板を、示す図である。
【図６】図５の２つのフレキシブルプリント配線板の間にＡＣＦを挟んで圧着した状態を示す図である。
【図７】図６の状態から、第１のフレキシブルプリント配線板のガイド穴等を除去した状態を示す図である。
【発明を実施するための形態】
【００１７】
（参考例としてあげる実施の形態１）
図１（ａ）は、参考例としてあげる実施の形態１におけるフレキシブルプリント配線板１１，１２を用いて形成したフレキシブルプリント配線板の接続構造５０の平面図である。２つのフレキシブルプリント配線板１１，１２には、それぞれ、電極接続エリアＳが設けられ、この電極接続エリアＳ内に、図示していない電極配列が設けられている。２つのフレキシブルプリント配線板１１，１２は、同じである必要はないが、電極接続エリアＳおよびそこに配列された電極（パターン）は、平面的に見て合致するようにされている。ただし、部分的に対応しない電極があってもよい。
このような、２つのフレキシブルプリント配線板の電極配列の重複を保証するために、フレキシブルプリント配線板１１，１２には、両者の重ね合わせの精度を高めるためのガイド穴２３ａ，２３ｂが設けられている。ガイド穴２３ａ，２３ｂが、位置合わせ部である。図１（ａ）に示すガイド穴２３ａ，２３ｂは、すでに位置合わせに使用されたもので、フレキシブルプリント配線板１２のものである。同じ位置に重ねられて位置合わせに用いられた、フレキシブルプリント配線板１１のガイド穴は、除去されて、図１（ａ）にはない。フレキシブルプリント配線板１１には、アラインメントマーク２４が設けられている。除去されたガイド穴には挿入しろ（ガイドピンの径に対する余裕）があるため、ガイド穴によって微小な電極同士を位置合わせしてもずれが生じることがある。このため、ガイド穴によって大まかに位置を合わせた後、アラインメントマーク２４を使って正確に位置合わせを行う。
【００１８】
図１（ａ）に示すフレキシブルプリント配線板１１には、ガイド穴を除去した除去痕Ｃが示されている。図１（ｂ）は、この除去痕Ｃの拡大図である。このあとの説明で出てくるように、切除前の切除すべき箇所についても同じ符合Ｃを用いる。この除去痕Ｃの部分は、配線回路、電極等の銅箔がなく、基層、カバーレイ樹脂層などのポリイミド樹脂が配置されているので、プレス金型によるせん断加工、鋭利な刃物またはハサミなどで切除された痕である。
【００１９】
図２（ａ）は、図１（ａ）の接続構造を構成する一方のフレキシブルプリント配線板１１を示す。フレキシブルプリント配線板１１では、ガイド穴２３ａ，２３ｂは、電極接続エリアＳから先端の領域に位置しており、この先端領域では、配線回路はなく、基層、カバーレイ樹脂層等が積層している。図１（ａ）において、ガイド穴２３ａ，２３ｂと、電極接続エリアＳとの間を遮るように、コ字状の長穴である、ガイド穴の除去容易化打ち抜き部１８が設けられている。図２（ａ）に示す２つのＣの部分を、プレス金型によるせん断加工、ナイフ等でカットすることで、ガイド穴２３ａ，２３ｂを含む先端領域は、電極接続エリアＳから分離され、除去することができる。プレス金型によるせん断加工、ナイフ等でカットするのは、ＡＣＦ２１を挟んで圧着した後である。
【００２０】
図２（ｂ）は、フレキシブルプリント配線板１１の接続相手のフレキシブルプリント配線板１２を示す。フレキシブルプリント配線板１１では、電極接続エリアＳよりも先端の領域にガイド穴２３ａ，２３ｂが位置していたが、ここでは、先端領域からみて、電極接続エリアＳよりも、本体側に、ガイド穴２３ａ，２３ｂが位置している。フレキシブルプリント配線板１１のガイド穴２３ａ，２３ｂが電極接続エリアＳよりも先端の領域に配置して、このガイド穴２３ａ，２３ｂを除去する場合、フレキシブルプリント配線板１２では、ガイド穴２３ａ，２３ｂは、電極接続エリアＳよりも本体側に位置しなければならない。これは、両方の電極接続エリアＳ同士を合わせ、かつ両方のガイド穴２３ａ，２３ｂ同士を合わせるために必須である。
【００２１】
図３は、両方のガイド穴２３ａ，２３ｂ、２３ａ，２３ｂにピン等を挿入して位置合わせをした上で、両方の電極接続エリアＳ，Ｓで、ＡＣＦ２１を挟んで圧着した状態を示す図である。ＡＣＦ２１は、両方の電極配列間に挟まれて圧着されている。この圧着の後、フレキシブルプリント配線板１１の除去容易化打ち抜き部１８に連なるＣの部分を、プレス金型によるせん断加工、ナイフ等でカットすることで、当該フレキシブルプリント配線板１１のガイド穴２３ａ，２３ｂは、除去される。この結果、図１（ａ）に示した接続構造を得ることができる。
【００２２】
本実施の形態によれば、ＡＣＦ２１を用いて能率よくフレキシブルプリント配線板の接続構造を製造しながら、その接続構造の小型化を実現することができる。図３に示す接続構造は、ガイド穴２３ａ，２３ｂを除去しない場合の大きさとみてよい。この接続構造の大きさが、上記の除去を行うことで、図１（ａ）に示すような、小型でスッキリした形状の接続構造となる。
【００２３】
上記のフレキシブルプリント配線板１１，１２は、次のようにして製造される。まず、基層に銅箔が張られた銅張積層板を準備して、銅箔をエッチングして配線回路および電極を形成する。次いでその上に絶縁層またはカバーレイ樹脂層を積層する。この絶縁層またはカバーレイ樹脂層には、上述のガイド穴２３ａ，２３ｂ、およびアラインメントマーク２４が予め設けられている。また、絶縁層またはカバーレイ樹脂層は、電極接続エリアＳ内の電極が露出されるように、電極接続エリアＳが空いているようにする。次いで、除去容易化打ち抜き部１８などを打ち抜き加工によって形成する。
【００２４】
ＡＣＦ２１は、主成分として、熱硬化する樹脂（含硬化剤）と、そこに分散された導電粒子とを備えるものである。熱硬化する樹脂としては、たとえばエポキシ樹脂を好適に用いることができる。ＡＣＦ２１は、２つのフレキシブルプリント配線板１１，１２の電極接続エリアＳまたは図示しない電極の間に挟まれて、圧力を受けながら加熱されることで、軟化状態、溶融に近い状態、もしくは溶融状態にされ、２つの電極の間隙を充填する。すなわち２つの電極は隙間なくＡＣＦ２１で充填される。
そして、硬化剤の作用により硬化して２つの電極または２つのフレキシブルプリント配線板１１，１２を接着する。導電粒子の体積率、形状等は、隣り合う電極が短絡するおそれがないように設定される。ＡＣＦ２１の樹脂には熱硬化性のエポキシ樹脂などを用いるのがよいが、その他に、シリコーン樹脂、または耐熱性に優れたポリイミド樹脂を用いてもよい。エポキシ樹脂を用いる場合、ビスフェノールＡ、またはビスフェノールＦとエピクロルヒドリンを反応させて作る通称ビスフェノール系と呼ばれる樹脂を用いることができる。ノボラック系の樹脂を用いてもよい。ＡＣＦ２１の導電粒子には、各種形状（粒状、針状など）の金属粒子、金属めっき樹脂コア粒子、などを用いることができる。金属粒子としては、粒状または針状ニッケル粒子がよく、金属めっき樹脂コア粒子としては、アクリルまたはポリスチレンを核とした金めっき粒子などを用いるのがよい。
ＡＣＦ２１の厚みは２００μｍ〜５００μｍ程度とするのがよい。
【００２５】
（実施の形態２）
図４は、本発明の実施の形態２におけるフレキシブルプリント配線板１１，１２を用いて形成したフレキシブルプリント配線板の接続構造５０の平面図である。本実施の形態では、両方のフレキシブルプリント配線板１１，１２の位置合わせ部が除去されている点に特徴がある。このため、両方のフレキシブルプリント配線板１１，１２に位置合わせ部を除去した除去痕Ｃがある。
【００２６】
図５（ａ）は、図４の接続構造を構成する一方のフレキシブルプリント配線板１１を示す。本実施の形態では、ガイド穴２３ａ，２３ｂおよびアラインメントマーク２４は、電極接続エリアＳの両サイドに位置している。この両サイドの領域では、配線回路はなく、基層、カバーレイ樹脂層等が積層している。図５（ａ）において、ガイド穴２３ａ，２３ｂおよびアラインメントマーク２４と、電極接続エリアＳとの間を遮るように、コ字状の長穴であるガイド穴除去容易化打ち抜き部１８が設けられている。図５（ａ）に示す２つのＣの部分を、プレス金型によるせん断加工、ナイフ等でカットすることで、ガイド穴２３ａ，２３ｂおよびアラインメントマーク２４を含む両サイド領域および先端領域は、電極接続エリアＳから分離され、除去することができる。
【００２７】
図５（ｂ）は、フレキシブルプリント配線板１１の接続相手の、他方のフレキシブルプリント配線板１２を示す。この場合にも、フレキシブルプリント配線板１１と同様に、ガイド穴２３ａ，２３ｂおよびアラインメントマーク２４は、電極接続エリアＳの両サイドに位置している。また、電極接続エリアＳと、ガイド穴２３ａ，２３ｂおよびアラインメントマーク２４とを遮る除去容易化打ち抜き部１８が設けられている点は、フレキシブルプリント配線板１１と同じである。ただし、この場合の長穴１８の形状は、釣り鐘の外形状である。この長穴１８に連なるＣの部分を、プレス金型によるせん断加工、ナイフ等でカットすることで、ガイド穴２３ａ，２３ｂおよびアラインメントマーク２４は、除去することができる。
両方の配線板１１，１２のガイド穴２３ａ，２３ｂをピンを通して重ね、さらにアラインメントマーク２４によって正確に位置合わせしながら電極接続エリアＳを重ねて合致させる。この状態で、両方のガイド穴２３ａ，２３ｂおよびアラインメントマーク２４を除去する場合、ガイド穴２３ａ，２３ｂおよびアラインメントマーク２４は、電極接続エリアＳのサイドに位置させるのがよい。
【００２８】
図６は、両方のガイド穴２３ａ，２３ｂ、２３ａ，２３ｂにピン等を挿入し、さらにアラインメントマーク２４で位置合わせをした上で、両方の電極接続エリアＳ，Ｓで、ＡＣＦ２１を挟んで圧着した状態を示す図である。
この圧着の後、まず、フレキシブルプリント配線板１１の除去容易化打ち抜き部１８に連なるＣの部分を、プレス金型によるせん断加工、ナイフ等でカットすることで、当該フレキシブルプリント配線板１１のガイド穴２３ａ，２３ｂおよびアラインメントマーク２４を、除去する。
この除去によって、図７に示すように、フレキシブルプリント配線板１２のガイド穴２３ａ，２３ｂおよびアラインメントマーク２４を含む領域が現れる。図７に示す状態で、フレキシブルプリント配線板１２の長穴１８に連なるＣの部分をカットする。これによって、フレキシブルプリント配線板１２のガイド穴２３ａ，２３ｂおよびアラインメントマーク２４は除去される。
【００２９】
図６または図７の構造と、図４に示す構造とを比較することで、本実施の形態の接続構造５０が、小型化されてスッキリした形状をとることが分かる。この場合、ＡＣＦ２１を用いるので、２つのフレキシブルプリント配線板１１，１２の接続構造５０を能率よく製造することができる。
本実施の形態では、除去容易化打ち抜き部１８として、一筆書きで一つに繋がった長穴の形態を示したが、両サイドに分かれた長穴であってもよい。すなわち、電極接続エリアＳの一方のサイドで先端に向かって直線状に延びる長穴と、他方のサイドで先端に向かって直線状に延びる長穴と、に分かれた除去容易化打ち抜き部１８であってもよい。このように２つに分かれた除去容易化打ち抜き部１８であっても、電極接続エリアＳと、ガイド穴２３ａ，２３ｂ、アラインメントマーク２４等を含む位置合わせ部と、の間を遮る点では同じである。
【００３０】
上記において、本発明の実施の形態および実施例について説明を行ったが、上記に開示された本発明の実施の形態および実施例は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【産業上の利用可能性】
【００３１】
本発明は、ＡＣＦを用いて電極同士を能率よく導電接続しながら、ガイド穴等を除去することで、接続構造の小型化をはかることができる。ガイド穴等の除去には、長穴からなる除去容易化打ち抜き部という簡単な構造を用いることができ、ＡＣＦを挟んだ圧着工程のあと、上記の長穴の端にカットを入れることで簡単に除去することができる。
【符号の説明】
【００３２】
１１，１２  フレキシブルプリント配線板、１８  除去容易化打ち抜き部（長穴）、２１  異方導電膜（ＡＣＦ）、２３ａ，２３ｂ  ガイド穴、２４  アラインメントマーク、５０  接続構造、Ｃ  切除痕または切除すべき部分、Ｓ  電極接続エリア。
【図１】
0005597870.tif 000002
【図２】
0005597870.tif 000003
【図３】
0005597870.tif 000004
【図４】
0005597870.tif 000005
【図５】
0005597870.tif 000006
【図６】
0005597870.tif 000007
【図７】
0005597870.tif 000008